(57)【特許請求の範囲】
【請求項１】
地面に配設された基台と、
前記基台に立設された複数の柱と、
前記複数の柱に架設された複数の大引と、
前記複数の大引に架設された複数の根太と、
前記大引及び前記根太の上に複数のタイルが敷設された床部と、
前記床部の側面を覆う上側幕板と、
前記柱の側面を覆う下側幕板と、
を備え、
前記上側幕板と前記下側幕板とは、同一形状の部品で構成され、
前記柱の側面と、前記大引の端面とが同一鉛直面上に配置され、
前記上側幕板及び前記下側幕板は、前記大引または前記柱に取り付けられる幕板取付部材と、前記幕板取付部材に取り付けられて前記床部の側面または前記柱の側面に配設される幕板本体とを備え、
前記幕板取付部材は、鉛直方向に延びる壁である架台側固定部と、長手方向に直交する断面が矩形であり前記架台側固定部の下端から前記幕板本体側に水平方向に突出して形成された幕板本体固定部とを有し、
前記幕板本体は、鉛直方向に延びる平板状の側壁と、前記側壁の高さ方向の中央部が裏面側に向かって突出するように形成された溝部とを備え、
前記溝部の底部の裏面を前記幕板本体固定部の壁部に当接させることにより前記大引きまたは前記根太に対する前記幕板本体の離間距離が位置決めされ、
前記上側幕板の前記幕板本体の外面と、前記下側幕板の前記幕板本体の外面とが面一に配置されることを特徴とする床構造体の幕板取付構造。
【請求項２】
前記床部の側面は前記大引よりも外側に位置し、
前記柱の側面と、前記根太の側面とが同一鉛直面上に配置され、
前記大引の下部に水平方向に突出して形成され、前記根太が載置される段部と、
前記根太の下端から水平方向に延びて形成された固定部と、
前記根太における前記固定部が形成された側面とは反対側の側面から水平方向に延びて形成された係止部と、を備え、
前記段部に前記根太が載置された状態で前記根太の上面と前記大引の上面とが同じ高さに配置され、
前記幕板本体固定部は、前記段部または前記係止部に当接されて配置されることにより、前記上側幕板の前記大引および前記根太に対する高さが位置決めされる請求項１に記載の床構造体の幕板取付構造。
【請求項３】
前記床部の側面は、前記大引の長手方向に延びる側面または前記大引の短手方向に延びる側面に同一形状の前記上側幕板を取り付け、
前記幕板取付部材は、前記大引の上面および前記根太の上面と面一となるように配置されて前記タイルが載置されるタイル載置部と、前記タイル載置部から上側に延びる係止壁と、を備え、
前記幕板本体は、前記タイルの端部が収容されるタイル収容部と、前記タイル収容部の下面から下方に延びる位置決めガイドと、を備え、
前記位置決めガイドが前記係止壁に係止されることにより前記幕板本体が前記幕板取付部材に対して位置決めされた状態で固定される請求項１または請求項２に記載の床構造体の幕板取付構造。
【請求項４】
地面に基台を配設する工程と、
前記基台に複数の柱を立設する工程と、
前記大引の端面と前記柱の側面とが同一鉛直面上に位置にするように前記複数の柱に複数の大引を架設する工程と、
前記複数の大引に複数の根太を架設する工程と、
前記大引及び前記根太の上に複数のタイルを敷設して固定してタイルからなる床部を形成する工程と、
前記大引及び前記柱に同一形状の上側幕板及び下側幕板をそれぞれ取り付ける工程であって、前記上側幕板及び前記下側幕板は、前記大引または前記柱に取り付けられる幕板取付部材と、前記幕板取付部材に取り付けられて前記床部の側面または前記柱の側面に配設される幕板本体とを備え、前記大引または前記柱に、前記幕板取付部材の鉛直方向に延びる側壁の高さ方向の中央部が裏面側に向かって突出するように形成された溝部の底部の裏面を前記幕板本体固定部の壁部に当接させることにより前記大引きおよび前記根太に対する前記幕板本体の離間距離が位置決めし、前記幕板取付部材を取り付け、前記床部の側面または前記柱の側面に幕板本体を配設し、前記幕板本体を前記幕板取付部材に取り付け、前記大引の側面に配設される前記幕板本体の外面と、前記柱に配設される前記幕板本体の外面とを面一に配置する工程と、
を有することを特徴とする床構造体の施工方法。
【発明の詳細な説明】
【技術分野】
【０００１】
本発明は、乾式で施工されるテラス等の床構造体の幕板取付構造及び床構造体の施工方法に関する。
【背景技術】
【０００２】
従来、屋外において、地面より高い位置に床面が設けられたウッドデッキやテラス等が知られている。例えば、特許文献１には、住宅の庭先等に設置されるデッキが開示されている。特許文献１のデッキは、地面に設置された複数の基礎台上に束柱及び大引が固定され、大引の上に複数の長尺なデッキ材を固定して床面が形成されている。さらに、床板の縁端部に位置するデッキ材の中空部端面及び側面には幕板が取り付けられている。つまり、特許文献１のデッキは、乾式工法で施工されたものである。
【０００３】
この他、地面にコンクリート等を用いて土台を立設し、土台にモルタルを塗り、タイル等を貼り付けて施工された湿式工法のテラスがある。
【先行技術文献】
【特許文献】
【０００４】
【特許文献１】特開２０１３−７２１９５号公報
【発明の概要】
【発明が解決しようとする課題】
【０００５】
湿式工法のテラスは、コンクリート土台施工時やタイル等の貼り付け後等に養生期間が必要であり、施工期間が長い。また、タイル等が固定されるまではタイルの位置ずれが生じ得るため、養生期間中はテラス上を使用できない。そのため、湿式施工法のテラスは、例えば、公共的スペース等、使用頻度の高い場所での施工の際に課題となる。また、モルタルの上にタイルを貼る作業は、タイル面のレベル調整等、専門的施工技術が必要である。さらに、湿式施工法のテラスを建物の近傍に設置した場合、気候によっては、湿気やテラスが蓄熱した熱が住環境に影響を与える場合がある。
【０００６】
ここで、特許文献１のようなデッキにおいて、押出成形材からなるデッキ材に代えてタイルを用いて床面を形成することは、タイルの特性を考慮すると難しい。具体的には、特許文献１のデッキのように幕板をデッキ材に取り付けているが、タイルは薄く割れやすいため、タイルに幕板を取り付けるのは難しいため、特許文献１のデッキのような幕板を採用できない。また、従来のデッキにおいて、床部の側面と、束柱の側面とに幕板を設け、デッキの架台部分を覆う場合がある。特許文献１のデッキでは、束柱が床部の縁端部よりも内側に設けられているので、床部の側面に設ける幕板と束柱の側面に設ける幕板とを面一に設けるためには、異なる部品を用いる必要があり、部品点数が多くなり、施工が煩雑となる。
【０００７】
上記事情を踏まえ、本発明は、床部の側面及び束柱の側面に幕板を面一に設ける場合に、共用可能な部品を用いて利便性を高め、且つ、施工効率を向上できる床構造体の幕板取付構造及び床構造体の施工方法を提供することを目的とする。
【課題を解決するための手段】
【０００８】
本発明に係る床構造体の幕板取付構造は、  地面に配設された基台と、前記基台に立設された複数の柱と、前記複数の柱に架設された複数の大引と、前記複数の大引に架設された複数の根太と、前記大引及び前記根太の上に複数のタイルが敷設された床部と、前記床部の側面を覆う上側幕板と、前記柱の側面を覆う下側幕板と、を備え、前記上側幕板と前記下側幕板とは、同一形状の部品で構成され、前記柱の側面と、前記大引の端面とが同一鉛直面上に配置され、前記上側幕板及び前記下側幕板は、前記大引または前記柱に取り付けられる幕板取付部材と、前記幕板取付部材に取り付けられて前記床部の側面または前記柱の側面に配設される幕板本体とを備え、前記幕板取付部材は、鉛直方向に延びる壁である架台側固定部と、長手方向に直交する断面が矩形であり前記架台側固定部の下端から前記幕板本体側に水平方向に突出して形成された幕板本体固定部とを有し、前記幕板本体は、鉛直方向に延びる平板状の側壁と、前記側壁の高さ方向の中央部が裏面側に向かって突出するように形成された溝部とを備え、前記溝部の底部の裏面を前記幕板本体固定部の壁部に当接させることにより前記大引きまたは前記根太に対する前記幕板本体の離間距離が位置決めされ、前記上側幕板の前記幕板本体の外面と、前記下側幕板の前記幕板本体の外面とが面一に配置されることを特徴とする。
【０００９】
この発明によれば、施工期間が短く、施工が容易であり、床部がタイルで形成された床構造体を提供できる。また、幕板を大引に取り付けることにより幕板で床部の側面を覆うことができるので、幕板取り付け時にビス等をタイルに打設する必要が無く、タイルの破損を防ぎ、且つ容易に施工できる。さらに、上側幕板と下側幕板とは、同一形状の部品で構成されるので、床部の側面と柱の側面とをそれぞれ覆う幕板を共用部品にできる。その結果、施工時の利便性を高め、且つ部品点数を削減することができる。また、柱の側面と大引の端面とが同一鉛直面上に配置されているので、同一部材を用いて、上側幕板本体の外面と、下側幕板本体の外面とを面一に設けることができる。したがって、施工性に優れた床構造体を提供できる。
【００１２】
本発明に係る床構造体の幕板取付構造において、前記床部の側面は前記大引よりも外側に位置し、前記柱の側面と、前記根太の側面とが同一鉛直面上に配置され、前記大引の下部に水平方向に突出して形成され、前記根太が載置される段部と、前記根太の下端から水平方向に延びて形成された固定部と、前記根太における前記固定部が形成された側面とは反対側の側面から水平方向に延びて形成された係止部と、を備え、前記段部に前記根太が載置された状態で前記根太の上面と前記大引の上面とが同じ高さに配置され、前記幕板本体固定部は、前記段部または前記係止部に当接されて配置されることにより、前記上側幕板の前記大引および前記根太に対する高さが位置決めされてもよい。
【００１３】
この発明によれば、幕板取付部材に位置決め部を備えているので、床部の側面が大引よりも外側に位置している場合に、大引及び柱の側面に対する幕板本体の離間距離を所定の距離に保ちながら、幕板を大引及び柱の側面に取り付けることができる。したがって、簡易な方法で、上側幕板と下側幕板とを面一に保つことができる。
【００１４】
本発明に係る床構造体の幕板取付構造において、前記床部の側面は、前記大引の長手方向に延びる側面または前記大引の短手方向に延びる側面に同一形状の前記上側幕板を取り付け、前記幕板取付部材は、前記大引の上面および前記根太の上面と面一となるように配置されて前記タイルが載置されるタイル載置部と、前記タイル載置部から上側に延びる係止壁と、を備え、前記幕板本体は、前記タイルの端部が収容されるタイル収容部と、前記タイル収容部の下面から下方に延びる位置決めガイドと、を備え、前記位置決めガイドが前記係止壁に係止されることにより前記幕板本体が前記幕板取付部材に対して位置決めされた状態で固定されてもよい。
【００１５】
この発明によれば、大引の長手方向の端部及び長手方向に延びる側面との両面において、上側幕板本体の外面と、下側幕板本体の外面とを面一に設けることができる。
【００１６】
本発明に係る床構造体の施工方法は、地面に基台を配設する工程と、前記基台に複数の柱を立設する工程と、前記大引の端面と前記柱の側面とが同一鉛直面上に位置にするように前記複数の柱に複数の大引を架設する工程と、前記複数の大引に複数の根太を架設する工程と、前記大引及び前記根太の上に複数のタイルを敷設して固定してタイルからなる床部を形成する工程と、前記大引及び前記柱に同一形状の上側幕板及び下側幕板をそれぞれ取り付ける工程であって、前記上側幕板及び前記下側幕板は、前記大引または前記柱に取り付けられる幕板取付部材と、前記幕板取付部材に取り付けられて前記床部の側面または前記柱の側面に配設される幕板本体とを備え、前記大引または前記柱に、前記幕板取付部材の鉛直方向に延びる側壁の高さ方向の中央部が裏面側に向かって突出するように形成された溝部の底部の裏面を前記幕板本体固定部の壁部に当接させることにより前記大引きおよび前記根太に対する前記幕板本体の離間距離が位置決めし、前記幕板取付部材を取り付け、前記床部の側面または前記柱の側面に幕板本体を配設し、前記幕板本体を前記幕板取付部材に取り付け、前記大引の側面に配設される前記幕板本体の外面と、前記柱に配設される前記幕板本体の外面とを面一に配置する工程と、を有することを特徴とする。
【００１７】
この発明によれば、従来湿式法で施工されていた床面がタイルからなる床構造体を乾式法により施工できる。このとき、大引の端面と柱の側面とを同一鉛直面上に配置し、同一形状の幕板を大引及び柱にそれぞれ取り付けるので、大引と柱の側面とにそれぞれ設ける幕板と下側幕板とを共用部品とすることができる。したがって、大引に対する幕板の取り付けと、柱に対する下側幕板の取り付けとを同じ方法で取り付けられるため、施工性に優れ、且つ部品管理が容易となる。
【発明の効果】
【００１８】
本発明によれば、床部の側面及び束柱の側面に幕板を面一に設ける場合に、共用可能な部品を用いて利便性を高め、且つ、施工効率を向上できる床構造体の幕板取付構造及び床構造体の施工方法を提供することができる。
【図面の簡単な説明】
【００１９】
【図１】本発明の一実施形態に係る床構造体の設置例を示す斜視図である。
【図２】本発明の一実施形態に係る床構造体の平面図である。
【図３】本発明の一実施形態に係る床構造体の縦断面図である。
【図４】本発明の一実施形態に係る床構造体の縦断面図である。
【図５】本発明の一実施形態に係る床構造体の端部を根太が延びる方向から見た縦断面図である。
【図６】本発明の一実施形態に係る床構造体の幕板取付構造を示す分解斜視図である。
【図７】本発明の一実施形態に係る床構造体の端部を大引が延びる方向から見た縦断面図である。
【図８】本発明の一実施形態に係る床構造体の幕板取付構造を示す分解斜視図である。
【図９】本発明の一実施形態に係る床構造体の床部を示す部分断面図である。
【発明を実施するための形態】
【００２０】
本発明の一実施形態に係る床構造体の幕板取付構造について説明する。図１は本実施形態に係る床構造体１の設置例を示す斜視図である。図２は、床構造体１の床面の一部を破断して示した平面図である。図３は、図２のＩＩＩ−ＩＩＩ方向における縦断面図である。図４は、図２のＩＶ−ＩＶ方向における縦断面図である。
【００２１】
図１に示すように、本実施形態に係る床構造体１は、建物１００の近傍に配置されたり、庭に設けられて使用されるものである。床構造体１は、基台２と、束柱（柱）３と、大引４と、根太５と、床部６、幕板７と、下側幕板７０，７０とを備える。束柱３、大引４、根太５、補助根太５５、幕板７及び下側幕板７０，７０は、いずれもアルミニウム形材からなる。
【００２２】
床構造体１は、基台２と、束柱（柱）３と、大引４と、根太５とを複数配設して地面に組み立てられた架台上にタイルからなる床部を設けて構成される。基台２は、地面に複数配置され、埋設または固定されて配設されている。束柱３は、基台２に立設されている。大引４は、複数の束柱３に架設されている。根太５は、複数の大引４に架設されている。
【００２３】
図３及び図４に示すように、大引４は、中空を有する略角柱形状の長尺部材である。大引４の上部は束柱３の幅と略等しい幅を有し、下部は両側面から水平方向に突出する段部４１，４１が形成されている。大引４には、下面から鉛直方向に突出する一対の係止部４２，４２が束柱３の寸法に合わせて離間して形成されている。
大引４の鉛直方向の側面には、後述する幕板７を固定するためのネジ孔４５（図８参照）が形成されている。
【００２４】
図５は、床構造体１の端部を根太５が延びる方向から見た縦断面図である。図６は図５における幕板７の分解斜視図である。図５及び図６に示すように、根太５は、中空を有する略角柱形状の長尺部材である。根太５の下部には大引４との固定部５１と、後述する幕板との係止部５２とを備える。固定部５１は、根太５の側面の下端から水平方向に延びて形成されている。係止部５２は、固定部５１が形成された側面とは反対側の側面から水平方向に延びて形成されている。
根太５の鉛直方向の側面には、後述する幕板７を固定する幕板固定部５４（図６参照）が形成されている。
【００２５】
隣り合う根太５，５同士の中間部に、補助根太５５が根太５と平行に設けられている。補助根太５５は、根太５と長さが等しく、幅が根太５より小さい長尺部材である。図３に示すように、補助根太５５の下部にも、根太５と同様に補助根太固定部５６を備える。
【００２６】
根太５は、大引４の段部４１上に根太５が載置され、大引４の長手方向に直交する方向に配置され、端部が大引４の側面に当接した状態で大引４に固定されている。補助根太５５も同様に大引４に固定されている。大引４の上面と根太５の上面とは面一に配設されている。補助根太５５も大引４及び根太５の上面と面一に配設されている。
【００２７】
床構造体１が建物１００に隣接して設けられる場合、建物１００に最も近い位置に設けられる大引４または根太５には、タイル支持部材８が設けられる。タイル支持部材８は、断面形状がＬ字状の長尺な板部材である。タイル支持部材８は、鉛直壁８１が大引４の側面に当接されて固定され、水平部８２が大引４の上端から建物１００側に延びるように配設される。タイル支持部材８は、水平部８２でタイル６１の一部を支持可能に構成されている。建物１００に最も近い位置に設けられる根太５にも、タイル支持部材８の鉛直壁８１が根太５に固定され、水平部８２が根太５の上端から建物１００側に延びるように配設される。
【００２８】
床部６は、大引４及び根太５の上に複数のタイル６１が敷設されて形成されている。タイル６１は、例えば６０ｃｍ角の正方形のタイルである。
【００２９】
図１に示すように、幕板７は、床部６の外縁を覆うように配設されている。図５に示すように、幕板７は、幕板本体７１と幕板取付部材７２とを備える。幕板本体７１は、長尺な平板状部材である。幕板本体７１は、鉛直方向に延びる平板状の側壁７１１と、溝部７１２と、タイル収容部７１３と、照明収容溝７１４とを備える。
【００３０】
溝部７１２は、側壁７１１の高さ方向の中央部が裏面側に向かって突出するように形成されている。溝部７１２の底部には厚さ方向に貫通するネジ孔７１５が形成されている。溝部７１２の開口部近傍には、上下に一対の係止部７１７，７１７を備える。
【００３１】
タイル収容部７１３は、側壁７１１の上端部から水平方向に延びるように形成されている。タイル収容部７１３の下面には、下方に延びる位置決めガイド７１６を備えている。
【００３２】
照明収容溝７１４は、側壁７１１の下部に設けられた溝であり、下側に開口し、長手方向に延設している。照明収容溝７１４は、ＬＥＤ等の小型照明１０を配設可能に構成されている。
【００３３】
図５に示すように、幕板取付部材７２は、大引４と幕板本体７１との間に配設される部材である。幕板取付部材７２は、架台側固定部７２１と、幕板本体固定部７２２と、タイル載置部７２３とを有する。架台側固定部７２１は鉛直方向に延びる壁である。幕板本体固定部７２２は、長手方向に直交する断面が矩形であり架台側固定部７２１の下端から幕板本体７１側に水平方向に突出して形成されている。幕板本体固定部７２２の鉛直方向に延びる壁部７２２ａの下端には大引用位置決め部（高さ位置決め部）７２２ｂを備える。大引用位置決め部７２２ｂは、幕板本体固定部７２２の下面７２２ｃよりも下方に突出している。壁部７２２ａ（位置決め部）には、厚さ方向に貫通するネジ孔が形成されている。
【００３４】
タイル載置部７２３は、架台側固定部７２１の上端から幕板本体７１側に水平方向に延び、タイル載置部７２３の突出端７２３ａの近傍から鉛直方向上側に延びる係止壁７２４を備える。図７に示すように、架台側固定部７２１に対する係止壁７２４の水平方向の突出量は、幕板本体固定部７２２よりも大きい。
【００３５】
タイル載置部７２３の上面から大引用位置決め部７２２ｂの下端までの長さ（高さ）は、大引４の上面から段部４１の上面までの長さ（高さ）と等しい。タイル載置部７２３の上面から幕板本体固定部７２２の下面７２２ｃまでの長さは、根太５の上面から係止部５２までの長さと等しく、幕板本体固定部７２２の下面７２２ｃは、根太用位置決め部（高さ位置決め部）として機能する。
【００３６】
根太５は、大引４の段部４１に載置して固定部５１で固定されるので、大引４の上面から段部４１上面までの長さに比べて、根太５の上面から固定部５１及び係止部５２までの長さは、固定部５１及び係止部５２の厚さ分が短くなる。しかし、タイル載置部７２３は、タイル６１が載せられるため、大引４及び根太５の上面と面一である必要がある。そこで、大引用位置決め部７２２ｂと根太用位置決め部（下面）７２２ｃとにより、幕板取付部材７２の大引４または根太５との高さ方向の位置が位置決めされる。幕板取付部材７２は、大引４の段部４１に大引用位置決め部７２２ｂを当接させて架台側固定部７２１を大引４に固定すると、タイル載置部７２３の上面が大引４の上面と面一になる。幕板本体固定部７２２の下面７２２ｃを根太５の係止部５２に当接させて架台側固定部７２１を根太５に固定すると、タイル載置部７２３の上面が根太５の上面と面一になる。この構成により、大引４及び根太５に取り付ける幕板を共通部品にすることができる。
溝部７１２の底部の裏面を幕板本体固定部７２２の壁部７２２ａに当接させることにより、幕板本体７１は、大引４及び根太５に対して位置決めできる。
【００３７】
幕板７は、さらに、蓋７３を備える。蓋７３は、幕板本体７１の溝部７１２を覆う部材である。蓋７３は、裏面に突出する一対の係止爪７３１、７３１を有し、係止爪７３１、７３１が溝部７１２内に挿入されて係止部７１７，７１７と係合するように構成されている。
【００３８】
下側幕板７０は、床部６の側面の幕板７（上側幕板）の下方において、束柱３の側面に固定される点で幕板７と相違する。下側幕板７０は、幕板7と同一の部材であるので、すでに説明したものと共通する構成等については、同一の符号を付して重複する説明を省略する。具体的には、下側幕板７０は、幕板取付部材７２の架台側固定部７２１を束柱３の側面に取り付ける。幕板取付部材７２に対する幕板本体７１の取り付け方法及び幕板本体７１への蓋７３の取付方法は幕板７と同様である。
【００３９】
下側幕板７０は、上側の幕板７との間に隙間を設けて配設される。束柱３と大引４の側面及び束柱３と端部に設けられる根太５の側面とは同一鉛直面上に配設されているので、同一の部材を用いた下側幕板７０の側壁７１１と、幕板７の側壁７１１とを面一に配置することができる。また、最下段に位置する下側幕板７０の照明収容溝７１４に小型照明１０が配設されている。
【００４０】
次に、床構造体１の施工方法を示す。
まず、地面に基台２を配設する。基台２は、床構造体１の隅部（入隅部及び出隅部）に配設する。隣り合う隅部間の長さが長い場合は、その隅部同士の中間部にも基台２を配設する。地面に基台２を設ける際、複数の基台２同士の高さレベルを揃える調整を行う。次に、各基台２にそれぞれ束柱３を立設し、束柱固定金具３１（図３及び図４参照）を介して基台２に束柱３をネジ９０で固定する。
【００４１】
図１に示すように、床構造体１は、階段１１を備える。階段１１は、束柱３の高さが床部６の束柱３に比べて低い点を除いて、床部６と同様の構成を有する。図２及び図４に示すように、階段１１の根太５及び補助根太５５は、上段側の端部は束柱３に固定され、他方の端部は大引４に固定されている。階段１１の各床部１１６，１１６は、床部６と同様の構造で、タイル６１が敷設されている。
【００４２】
次に、各束柱３に複数の大引４を架設する。図２に示すように、大引４の長手方向が建物１００の壁面に対して平行に延びるように配置し、図４及び図５に示すように、束柱３の上方から大引４の一対の係止部４２，４２を束柱３に外嵌させて、各束柱３に大引４を架設する。係止部４２と束柱３とをネジ９１，９１で固定する。このとき、束柱３の側面と大引４の側面（段部４１よりも上側の側面）とは同一鉛直面上に配置される。
【００４３】
また、図１に示すように、床部６の一部に開口６６を形成し、植栽や花壇等を設けてもよい。このように床部６に開口６６を設ける場合、図２に示すように、開口６６の入隅部６７にも基台２及び束柱３を設ける。開口６６においても、後述する幕板７の取付方法により床部６の側面を幕板７で覆う。
【００４４】
次に、各大引４に複数の根太５を架設する。図２に示すように、根太５を大引４と直交する方向に配置し、図３から図５に示すように、大引４の段部４１に根太５の長手方向の両端部を載置する。根太５の固定部５１と段部４１の上面とをネジ９２で固定する。このとき、大引４の長手方向の端部に設けられる根太５の側面と、束柱３の側面と、大引４の長手方向の端部とは同一鉛直面上に配置される。
【００４５】
このとき、根太５は、タイル６１の寸法と等しいピッチで配置される。本実施形態では、床材として６０ｃｍ角の正方形のタイル６１を用いるので、図３に示すように、隣り合う根太５の中心軸間のピッチＰは、タイル６１の寸法と略等しく設定される。
【００４６】
なお、建物１００の壁面に最も近い大引４０（図２参照）の鉛直方向の一側面には、予めタイル支持部材８を固定している。タイル支持部材８は、タイル支持部材８の水平部８２と大引４０の上面とが面一となるように大引４０に固定する。
【００４７】
次に、各大引４に複数の補助根太５５を配設する。隣り合う根太５の間に、根太５と平行に補助根太５５を配置し、大引４の段部４１に補助根太５５の長手方向の両端部を載置する。補助根太固定部５６と段部４１の上面とをネジ９３で固定する。
【００４８】
次に、幕板取付部材７２を大引４の長手方向及び短手方向に配設する。図７は、床構造体１の端部を大引４が延びる方向から見た縦断面図である。図８は図６における幕板７の分解斜視図である。図７及び図８に示すように、幕板７は、床部６の側面のうち、建物１００の外壁に近接配置されない面に設ける。床部６の側面のうち、大引４に直交する側面６４（図１参照）も大引４に平行な側面６５（図１参照）も同一形状の幕板７を用いる。本実施形態では、床部６の側面のうち、大引４に直交する側面６４に幕板７を取り付ける場合は、図５及び図６に示すように、幕板７は根太５を介して大引４に取り付けられる。床部６の側面のうち、大引４に平行な側面６５に幕板７を取り付ける場合は、図７及び図８に示すように、幕板７は大引４に取り付ける。
【００４９】
床部６の側面のうち、大引４に直交する側面６４に幕板７を配設する場合、図５及び図６に示すように、根太５の側面に幕板取付部材７２を固定する。このとき、幕板本体固定部７２２の根太用位置決め部（下面）７２２ｃを、根太５の係止部５２に載せ、架台側固定部７２１を根太５の側面に当接させることにより、幕板取付部材７２を根太５に対して位置決めできる。係止部５２の水平方向への突出量は、幕板本体固定部７２２の水平方向の突出量より短いので、幕板取付部材７２を根太５の側面に当接させた状態では大引用位置決め部７２２ｂは係止部５２と干渉しない。この状態で、ネジ９４，９４を用いて幕板取付部材７２を根太５に固定する。図５に示すように、幕板取付部材７２が根太５に固定された状態では、根太５の上面とタイル載置部７２３の上面とは面一となる。
【００５０】
床部６の大引４に平行な側面６５に幕板７を配設する場合、図７及び図８に示すように、大引４の長手方向の側面に幕板取付部材７２を固定する。このとき、幕板本体固定部７２２の大引用位置決め部７２２ｂを大引４の段部４１に当接させた状態で段部４１に載せ、架台側固定部７２１を大引４の側面に当接させることにより、幕板取付部材７２を大引４に対して位置決めできる。この状態で、ネジ９５，９５を用いて幕板取付部材７２を大引４に固定する。図５に示すように、幕板取付部材７２が大引４に固定された状態では、大引４の上面とタイル載置部７２３の上面とは面一となる。
【００５１】
次に、大引４及び根太５の上に複数のタイル６１を敷設して固定し、床部６を形成する。建物１００に近い位置から順にタイル６１を敷設する。タイル６１の両端部が隣り合う根太５，５上に載置され、目地材６２でタイル６１が根太５，５に固定される。床部６の縁部では根太５，５に加えて大引４の上面にも目地材６２でタイル６１が固定される。また、タイル６１の中央部は補助根太５５により支持されている。
【００５２】
複数のタイル６１を順次敷設して固定し、床部を形成する。ここで、大引４に根太５及び補助根太５５が固定されると、大引４の上面と、根太５の上面及び補助根太５５の上面とが面一となる。そのため、タイル６１の載置面が面一になり、タイル６１で形成された床面のレベルを容易に均一にできる。
【００５３】
なお、タイル６１を目地材６２で固定する際、図９に示すように、タイル６１の側面同士の間に、例えば、アルミニウム製の平板からなる補助目地６３を設けても良い。補助目地６３を設けることにより、タイル６１の製造上の寸法誤差に起因するタイル６１の端面のラインのずれを目立ち難くすることができる。
【００５４】
次に、幕板取付部材７２に幕板本体７１を取り付ける。幕板本体７１の取付方法は、床部６の大引４に直交する側面６４と大引４に平行な側面６５とで同様である。幕板取付部材７２の斜め上方から幕板本体７１を幕板取付部材７２側に近付けて配置する。タイル収容部７１３がタイル６１の端部と幕板取付部材７２の係止壁７２４とを覆い、且つ、溝部７１２の底部の裏面を幕板本体固定部７２２の壁部７２２ａに当接させることにより、幕板本体７１は、大引４に対して位置決めできる。この状態で、溝部７１２の底部と幕板本体固定部７２２の壁部７２２ａとをネジ９５で止めて、幕板本体７１を幕板取付部材７２に固定する。
【００５５】
幕板７は、床部６の設計上の端部位置よりも少し外側に位置決めガイド７１６が位置するように構成されている。そのため、図５及び図７に示すように、幕板本体７１が幕板取付部材７２に取り付けられた状態で、位置決めガイド７１６とタイル６１の端部との間には隙間Ｓが形成される。タイル６１の製造上の寸法誤差により、床部６の縁端部において各タイル６１の端部が揃わない可能性がある。しかし、幕板７の位置決めガイド７１６は、床部６の設計上の端部位置よりも少し外側に配置されるので、タイル６１に製造上の寸法誤差が生じている場合でも、確実にタイル６１の側面を幕板７で覆うことができる。また、床部６の縁端部がタイル収容部７１３で覆われるので、各タイル６１の端部が揃わない場合でも、床部６の外観に影響しない。
【００５６】
次に、蓋７３の係止爪７３１、７３１を溝部７１２内に挿入し、溝部７１２の係止部７１７，７１７に係止させることにより、溝部７１２を蓋７３で塞ぐと、床部６の側面に幕板７が取り付けられる。床部６の側面のうち、建物１００の外壁に近接配置されない面の全てに幕板７を取り付けると床構造体１の施工が終了する。
【００５７】
本実施形態に係る床構造体１では、２段の階段を備え、各段の床部１１６の側面に下側幕板７０を配設するので、高さ方向に３段の幕板７，７０，７０を配設する。下側幕板７０は、上方に幕板７が配設されている部分では幕板取付部材７２の架台側固定部７２１を束柱３の側面に取り付け、階段１１の部分では床部１１６の側面に幕板７と同様の方法で取り付けられる。幕板７と下側幕板７０とは同じ部材を用いるので、このように、一部の領域を床部６、１１６の側面に配設し、他の領域を束柱３の側面に取り付けることができる。
【００５８】
本実施形態によれば、床部６がタイル６１で形成された、施工期間が短く、施工が容易な床構造体１を提供できる。さらに、床部６と地面との間に空隙が形成されるので、タイル６１で床部６が形成された床構造体１を建物１００に接近した位置に設置した場合に、外部環境に起因する建物１００への影響を抑えられる。また、色柄が異なるタイル６１を所望の位置に配置することにより、さまざまなデザインの床面が形成可能であり、意匠性に優れた床構造体１を提供できる。
【００５９】
本実施形態によれば、幕板７を大引４に取り付けることにより幕板７で床部６の側面を覆うことができるので、幕板７の取り付け時にビス等をタイルに打設する必要が無く、タイル６１の破損を防ぎ、且つ容易に施工できる。
【００６０】
本実施形態に係る床構造体１によれば、タイル６１の寸法と等しいピッチで根太５が配置されているため、隣り合う大引４の間に架設された複数の根太５にタイル６１を配置できる。したがって、製造可能な寸法に制約があるタイル６１で床部６を形成する場合でも、束柱３及び大引４の本数を増やすことなく床部６を形成できる。また、束柱３と大引４の本数を抑えることができるので、地面に複数の基台２を設ける際に基台２の高さレベルを揃える作業等、施工現場で時間を要する作業が大幅に増加することを防ぎ、施工性に優れた床構造体１を提供できる。
【００６１】
本実施形態に係る床構造体１によれば、大引４の上面と根太５の上面とが面一に配設されるので、大引４及び根太５の上面にタイル６１を固定する作業が容易に行える。さらに、高さが等しい大引４及び根太５の上面にタイル６１を固定するので、複数のタイル６１からなる床部６の床面のレベル調整を容易に行える。
【００６２】
本実施形態に係る床構造体１は、床部６の縁端部を幕板７のタイル収容部７１３に収めることができ、床部６の縁端部に配置されたタイル６１の端部を保護できる。また、タイル６１の製造時に生じる寸法誤差に起因して床部６の縁端部が揃わない場合でも、床部６の縁端部をタイル収容部７１３内に収めることにより、外観を損ねることがなく、意匠性に優れた床構造体１を提供できる。
【００６３】
本実施形態に係る床構造体１は、幕板７と下側幕板７０，７０とは、同一形状の部品で構成されるので、床部６の側面と束柱３の側面とをそれぞれ覆う幕板７，７０，７０を共用部品にできる。その結果、施工時の利便性を高め、且つ部品点数を削減することができる。
【００６４】
本実施形態に係る床構造体１は、束柱３の側面と大引４の端面とが同一鉛直面上に配置されているので、同一部材を用いて、上側の幕板７の幕板本体７１の外面と、下側幕板７０の幕板本体７１の外面とを面一に設けることができる。したがって、施工性に優れた床構造体を提供できる。
【００６５】
本実施形態に係る床構造体１は、床部６の側面が大引４よりも外側に位置している場合に、幕板取付部材７２の壁部７２２ａにより、大引４及び束柱３の側面に対する幕板本体７１の離間距離を所定の距離に保ちながら、幕板７，７０を大引４及び束柱３の側面に取り付けることができる。したがって、簡易な方法で、幕板７と下側幕板７０とを面一に保つことができる。
【００６６】
本実施形態に係る床構造体１によれば、床構造体１を建物１００に近接配置する場合に、建物１００の近傍に設けられるタイル６１を安定して支持することができる。その結果、建物１００側にタイルを支持するための部材を設ける必要がないため、建物１００への影響を抑えた床構造体１を提供できる。また、床構造体１を撤去した後に、建物１００に部材の打設跡が残ることがない。
【００６７】
本実施形態に係る床構造体１の施工方法によれば、従来湿式工法で施工されていた床面がタイルからなるテラスを乾式工法により施工できる。その結果、床構造体１の施工期間が短く、且つ施工が容易となる。また、大引４の端面と束柱３の側面とを同一鉛直面上に配置し、同一形状の幕板７，７０を大引４及び束柱３にそれぞれ取り付けるので、大引４と束柱３の側面とにそれぞれ設ける幕板７と下側幕板７０とを共用部品とすることができる。したがって、大引４に対する幕板７の取り付けと、束柱３に対する下側幕板７０の取り付けとを同じ方法で取り付けられるため、施工性に優れ、且つ部品管理が容易となる。
【００６８】
本実施形態に係る床構造体１によれば、床部における大引と平行な側面及び根太の長手方向に沿う側面に同一形状の部材により幕板７を取り付けられる。したがって、幕板の部品の種類を減らすことができ、且つ、類似部品を低減できるので、部品の取り付け間違いや誤発注を防ぐことができる。
【００６９】
本実施形態の床構造体１によれば、束柱３、大引４、根太５、補助根太５５、及び幕板７がアルミニウム形材からなるので、軽量且つ耐久性に優れた床構造体１を提供できる。
【００７０】
本実施形態に係る床構造体１は、床面と地面との間に空洞が形成されるので、建物の近傍に設置する場合に、湿気や熱気が溜まり難く、住環境に影響を与え難い。
【００７１】
本実施形態によれば、大引用位置決め部７２２ｂ及び根太用位置決め部７２２ｃにより、タイル載置部７２３の高さが大引４及び根太５の上面と面一となるように幕板取付部材７２の高さを容易に位置決めできる。また、同じ形状の幕板７を、大引４の長手方向と短手方向との両方に配設可能であり、幕板７の部品を共通化できる。
【００７２】
本実施形態では、大引４は、隣合う束柱３の上部に載置され、束柱３の上端に一対の係止部４２が外嵌されてネジで固定される例を示したが、大引の束柱３への取り付け構造にはこれに限定されない。
【００７３】
本実施形態では、タイル６１を敷設後に、幕板取付部材７２を配設する例を示したが、幕板取付部材７２は、タイル６１の敷設前に大引４または根太５に取り付けてもよい。
【００７４】
本実施形態に係る床構造体１によれば、下側幕板７０を設けることにより、束柱３や床部６の下方の地面を隠すことができ、意匠性を高めることができる。また、下側幕板７０を幕板７と同じ部材を用い、且つ、同様の手順で取り付けることができるので、施工が容易に行える。
【００７５】
本実施形態では、幕板取付部材７２に大引用位置決め部７２２ｂのみを設け、下面７２２ｃを根太用位置決め部とする例を示したが、根太用位置決め部は下面７２２ｃとは別に設けてもよい。例えば、下面７２２ｃのうち、根太５の鉛直方向に延びる壁部に当接する端部側に段差を設けて、根太用位置決め部としてもよい。
【００７６】
以上、本発明の実施形態について図面を参照して詳述したが、具体的な構成はこの実施形態に限られるものではなく、本発明の要旨を逸脱しない範囲の設計変更等も含まれる。
また、上述の各実施形態において示した構成要素は適宜に組み合わせて構成することが可能である。
【符号の説明】
【００７７】
１  床構造体
２  基台
３  束柱（柱）
４  大引
５  根太
６  床部
７  幕板（上側幕板）
８  タイル支持部材
５１  固定部
６１  タイル
７０  下側幕板
７１  幕板本体
７２  幕板取付部材
７１３  タイル収容部
７２２ａ  壁部（位置決め部）
【図１】
0006752581.tif 000002
【図２】
0006752581.tif 000003
【図３】
0006752581.tif 000004
【図４】
0006752581.tif 000005
【図５】
0006752581.tif 000006
【図６】
0006752581.tif 000007
【図７】
0006752581.tif 000008
【図８】
0006752581.tif 000009
【図９】
0006752581.tif 000010